(57)【要約】【課題】データ設定器が実装される基板を作動状態とすることなく、データを簡単な作業で変更することができる。【解決手段】少なくとも一つのプラグ２２が設定器本体部１２におけるプラグ嵌合部１２Ａ１〜１２Ａ８に選択的に嵌合されることにより、５ビット構成のデータが複数種類設定されるもの。【選択図】図１
2008262831.tif 000002
【特許請求の範囲】
【請求項１】
電気的絶縁性材料で作られ、押圧面が形成される外周部を有する脚部と、操作部とを有する少なくとも一つのプラグと、
前記プラグの脚部が着脱可能に嵌合されるプラグ嵌合部を複数個有する設定器本体部と、
前記設定器本体部における各プラグ嵌合部内にそれぞれ配され、基準電源部に接続される複数のコンタクトユニットとを備え、
前記プラグの脚部が前記複数のプラグ嵌合部のうちの選択された少なくとも一つのプラグ嵌合部に嵌合される場合、少なくとも一つのコンタクトユニットが該プラグの押圧面により押圧され導通状態とされることによって、複数個の二値データから構成されるデータが、複数種類設定されることを特徴とするデータ設定器。
【請求項２】
前記コンタクトユニットをそれぞれ有する第１および第２の前記プラグ嵌合部が互いに離隔して形成され、第３の前記プラグ嵌合部が、該第１および第２のプラグ嵌合部に互いに直交するように形成されることを特徴とする請求項１記載のデータ設定器。
【請求項３】
前記プラグは、前記プラグ嵌合部の開口端部に形成される爪部に着脱可能に係合するロック／アンロック用係合片を有することを特徴とする請求項１記載のデータ設定器。
【発明の詳細な説明】
【技術分野】
【０００１】
本発明は、複数個の二値データから構成されるデータを設定できるデータ設定器に関する。
【背景技術】
【０００２】
電子機器内に実装される複数のプリント配線基板においては、基板の共用化による部品点数の低減化を図るべく、例えば、特許文献１にも示されるように、各受信装置の用途に応じたオーディオドライバ、ビデオドライバ等の回路部品が搭載される第２の基板と、第２の基板に搭載される複数の用途の異なる受信装置相互に共通するＣＰＵ（ｃｅｎｔｒａｌ  ｐｒｏｃｅｓｓｉｎｇ  ｕｎｉｔ）等の回路部品が搭載される第１の基板とを互いに電気的に接続することにより、第１の基板の共用化を図ったものが提案されている。
【０００３】
また、上述のＣＰＵ等に関連して第１の基板に設けられる設定データ記憶部においては、例えば、特許文献２にも示されるように、データ記憶部を有するデータ設定器により、各制御データが、制御ユニットの設定データ記憶部に設定することが提案されている。
【０００４】
【特許文献１】特開２００３−６１００９号公報
【特許文献２】特開平１１−２３３２７５号公報
【発明の開示】
【発明が解決しようとする課題】
【０００５】
上述の第１の基板に搭載されるＣＰＵにより制御される回路部品の制御態様が、これらの基板が実装される電子機器における国内および外国の仕向け地に応じて異なる場合、各仕向け地ごとに第１の基板を作製したものを用意しなければならない。即ち、各第１の基板において、例えば、予めデータ設定器により、各仕向け地に対応した制御データを制御ユニットの設定データ記憶部に設定することが必要とされる。従って、上述のような第１の基板が各仕向け地ごとに異なるものとなるので基板の共用化の趣旨に反し、また、各基板の在庫管理が煩雑となる。
【０００６】
このような場合、制御ユニットの設定データ記憶部に設定されたデータを必要とされる仕向け地に対応するように必要に応じて変更することが考えられる。
【０００７】
しかしながら、第１の基板において設定データ記憶部に設定されたデータを変更するためには、制御ユニットおよびデータ設定器に電力を供給し第１の基板を作動状態とし、設定データを再度確認しなければならず、従って、設定データを簡単な作業で変更することができないという問題を伴う。
【０００８】
以上の問題点を考慮し、本発明は、データ設定器であって、データ設定器が実装される基板を作動状態とすることなく、データを簡単な作業で変更することができるデータ設定器を提供することを目的とする。
【課題を解決するための手段】
【０００９】
上述の目的を達成するために、本発明に係るデータ設定器は、電気的絶縁性材料で作られ、押圧面が形成される外周部を有する脚部と、操作部とを有する少なくとも一つのプラグと、プラグの脚部が着脱可能に嵌合されるプラグ嵌合部を複数個有する設定器本体部と、設定器本体部における各プラグ嵌合部内にそれぞれ配され、基準電源部に接続される複数のコンタクトユニットとを備え、プラグの脚部が複数のプラグ嵌合部のうちの選択された少なくとも一つのプラグ嵌合部に嵌合される場合、少なくとも一つのコンタクトユニットがプラグの押圧面により押圧され導通状態とされることによって、複数個の二値データから構成されるデータが、複数種類設定されることを特徴とする。
【発明の効果】
【００１０】
以上の説明から明らかなように、本発明に係るデータ設定器によれば、プラグの脚部が複数のプラグ嵌合部のうちの選択された少なくとも一つのプラグ嵌合部に嵌合される場合、少なくとも一つのコンタクトユニットがプラグの押圧面により押圧され導通状態とされることによって、複数個の二値データから構成されるデータが、複数種類設定されるので
プラグの配置を変更することによってデータ設定器が実装される基板を作動状態とすることなく、データを簡単な作業で変更することができる。
【発明を実施するための最良の形態】
【００１１】
図２は、本発明に係るデータ設定器の一例における設定器本体部の外観を示す。
【００１２】
データ設定器１０は、少なくとも一つのプラグ２２と（図５および図９参照）、図２に拡大されて示されるように、プラグ２２が選択的に差し込まれるプラグ嵌合部１２Ａ１，１２Ａ２，１２Ａ３，１２Ａ４，１２Ａ４，１２Ａ５，１２Ａ６，１２Ａ７，および、１２Ａ８を有する設定器本体部１２とを主な要素として含んで構成されている。
【００１３】
設定器本体部１２は、例えば、樹脂材料で直方体に成形されており、図２および図３に拡大されて示されるように、その長手方向に沿って所定の均等の間隔でプラグ嵌合部１２Ａ１，１２Ａ２，１２Ａ３，１２Ａ４，１２Ａ４，および１２Ａ５を有している。細い隙間状のプラグ嵌合部１２Ａ１，１２Ａ２，１２Ａ３，１２Ａ４，１２Ａ４，および１２Ａ５は、それぞれ、図３に拡大されて示されるように、設定器本体部１２の短辺に対し略平行に形成されている。
【００１４】
設定器本体部１２におけるプラグ嵌合部１２Ａ５側の端部には、切欠部が形成されている。また、設定器本体部１２の長辺側の側壁におけるプラグ嵌合部１２Ａ１とプラグ嵌合部１２Ａ２との間、および、プラグ嵌合部１２Ａ４とプラグ嵌合部１２Ａ５との間には、それぞれ、半田付け固定用金具２０が圧入される溝１２ＥＧが形成されている。
【００１５】
プラグ嵌合部１２Ａ１，１２Ａ２，１２Ａ３，１２Ａ４，１２Ａ４，および１２Ａ５の構造は、互いに同一の構造とされるのでプラグ嵌合部１２Ａ１について説明し、他のプラグ嵌合部１２Ａ２〜１２Ａ５についての説明を省略する。
【００１６】
プラグ嵌合部１２Ａ１は、その両端に第１の凹部１２ＲＡおよび第２の凹部１２ＲＣと、その中間部に第１の凹部１２ＲＡと第２の凹部１２ＲＣとを連結する第３の凹部１２ＲＢとを有している。
【００１７】
上方に向けて開口する第１の凹部１２ＲＡは、図３に拡大されて示されるように、第３の凹部１２ＲＢに連通する開口を有する矩形断面を有している。第１の凹部１２ＲＡと第３の凹部１２ＲＢとの間の境界部分を形成する壁部には、図２に示されるように、相対向して内方に突出する一対の突起部１２ＰＷが形成されている。これにより、第１の凹部１２ＲＡと第３の凹部１２ＲＢとの間の連通路が縮小した状態とされる。
【００１８】
上方に向けて開口する第３の凹部１２ＲＢは、第１の凹部１２ＲＡと第２の凹部１２ＲＣとの双方に連通している。第３の凹部１２ＲＢにおけるプラグ嵌合部の配列方向に沿った幅は、第１の凹部１２ＲＡおよび第２の凹部１２ＲＣにおける対応する幅と同一に設定されている。第３の凹部１２ＲＢにおける上方に向けて開口する端部の周縁には、後述するプラグ２２の爪部２２Ｎが着脱可能に係合される被係合部としての一対の爪部１２Ｅが形成されている。
【００１９】
上方に向けて開口する第２の凹部１２ＲＣと第３の凹部１２ＲＢとの間の境界部分を形成する壁部にも、図２に示されるように、上述したような相対向して内方に突出する一対の突起部１２ＰＷが形成されている。これにより、第２の凹部１２ＲＢと第３の凹部１２ＲＢとの間の連通路が縮小した状態とされる。
【００２０】
プラグ嵌合部１２Ａ１における第２の凹部１２ＲＣとプラグ嵌合部１２Ａ２における第２の凹部１２ＲＣとの間、プラグ嵌合部１２Ａ２における第２の凹部１２ＲＣとプラグ嵌合部１２Ａ３における第２の凹部１２ＲＣとの間、および、プラグ嵌合部１２Ａ３における第２の凹部１２ＲＣとプラグ嵌合部１２Ａ４における第２の凹部１２ＲＣとの間には、それぞれ、プラグ嵌合部１２Ａ８，プラグ嵌合部１２Ａ７、プラグ嵌合部１２Ａ６が交差するように形成されている。
【００２１】
プラグ嵌合部１２Ａ８は、プラグ嵌合部１２Ａ１における第２の凹部１２ＲＣと、プラグ嵌合部１２Ａ２における第２の凹部１２ＲＣと、それらの双方を連結する凹部１２ＲＭとから構成されている。
【００２２】
凹部１２ＲＭは、プラグ嵌合部１２Ａ１および１２Ａ２に対し直交し、プラグ嵌合部１２Ａ１における第２の凹部１２ＲＣと、プラグ嵌合部１２Ａ２における第２の凹部１２ＲＣとに連通している。
【００２３】
凹部１２ＲＭにおける上方に向けて開口する端部の周縁には、後述するプラグ２２の爪部２２Ｎが着脱可能に係合される被係合部としての一対の爪部１２Ｅが形成されている。
【００２４】
凹部１２ＲＭにおける設定器本体部１２の短辺方向に沿った幅は、第３の凹部１２ＲＢにおけるそれに対応する幅と同一に設定されている。
【００２５】
プラグ嵌合部１２Ａ７は、プラグ嵌合部１２Ａ２における第２の凹部１２ＲＣと、プラグ嵌合部１２Ａ３における第２の凹部１２ＲＣと、それらの双方を連結する凹部１２ＲＭとから構成されている。また、プラグ嵌合部１２Ａ６は、プラグ嵌合部１２Ａ３における第２の凹部１２ＲＣと、プラグ嵌合部１２Ａ４における第２の凹部１２ＲＣと、それらの双方を連結する凹部１２ＲＭとから構成されている。
【００２６】
なお、プラグ嵌合部１２Ａ７およびプラグ嵌合部１２Ａ６における凹部１２ＲＭの構造は、それぞれ、プラグ嵌合部１２Ａ８における凹部１２ＲＭの構造と同一とされるので重複説明を省略する。
【００２７】
プラグ嵌合部１２Ａ１〜１２Ａ５における第２の凹部１２ＲＣには、それぞれ、図３および図１０に拡大されて示されるように、コンタクト端子１４ａｉ（ｉ＝１〜５）およびコンタクト端子１６ａｉ（ｉ＝１〜５）からなるコンタクトユニット１８の接点部がそれぞれ配置されている。
【００２８】
コンタクト端子１４ａｉは、例えば、薄板状の燐青銅で作られ、プリント配線基板の導電層に半田付け固定される固定端子部と、固定端子部に屈曲して連なって延びた後、略Ｕ字状に折り曲げられて形成される接点端子部とから構成されている。
【００２９】
その接点端子部の先端における接点部には、コンタクト端子１６ａｉの接点部が選択的に当接される。
【００３０】
コンタクト端子１４ａｉの接点端子部は、第２の凹部１２ＲＣを形成する底壁部に形成されるスリット１２ＴＧｂを介して下方側から第２の凹部１２ＲＣ内に圧入されている。
【００３１】
一方、コンタクト端子１６ａｉは、例えば、薄板状の燐青銅で作られ、プリント配線基板の導電層に半田付け固定される固定端子部と、固定端子部に屈曲して連なって延びた後、略Ｕ字状に折り曲げられて形成される接点端子部と、固定端子部と接点端子部とを連結する固定部とから構成されている。なお、その接点端子部は、図３において上述の固定部における固定端子部に対して左側に向かって所定距離だけ偏倚した位置で略Ｕ字状に折り曲げられている。その固定部は、第２の凹部１２ＲＣに隣接して形成される溝１２ＴＧａに上方から圧入されている。
【００３２】
その際、その固定端子部は、図２に示される側壁のスリット１２Ｓを介して各コンタクト端子１４ａｉの固定端子部が配列される共通の平面に到達するまで挿入される。
【００３３】
その接点端子部の先端における接点部は、図１０に拡大されて示されるように、コンタクト端子１４ａｉの接点部の位置よりもさらに第３の凹部１２ＲＢ側に配置されている。
【００３４】
コンタクト端子１６ａｉの接点部は、図１０に示されるように、後述するプラグ２２がプラグ嵌合部１２Ａ１に差し込まれる場合、それに押圧されてコンタクト端子１４ａｉの接点部に当接される。また、後述するプラグ２２がプラグ嵌合部１２Ａ１に差し込まれていない場合、コンタクト端子１６ａｉの接点端子部の弾性復元力によりコンタクト端子１４ａｉの接点部に対し離隔した状態となる。所謂、コンタクトユニット１８の接点部の開状態が維持される。
【００３５】
プラグ２２は、図５に拡大されて示されるように、電気的絶縁性材料、例えば、樹脂材料で作られ、着脱の際、把持される操作部２２Ａと、操作部２２Ａと一体に成形されプラグ嵌合部１２Ａ１〜１２Ａ８に嵌合されるとき、上述のコンタクトユニット１８の接点部を閉状態とする脚部２２Ｂとから構成されている。
【００３６】
直方体に形成される操作部２２Ａの長辺および短辺の長さは、それぞれ、プラグ嵌合部１２Ａ１〜１２Ａ８の開口端の長辺および短辺よりも大に設定されている。
【００３７】
また、脚部２２Ｂの外寸は、プラグ嵌合部１２Ａ１〜１２Ａ８に嵌合可能なようにプラグ嵌合部１２Ａ１〜１２Ａ８の開口端の長辺および短辺よりも若干小に設定されている。
脚部２２Ｂは、図８に拡大されて示されるように、各プラグ嵌合部における第１の凹部１２ＲＡおよび第２の凹部１２ＲＣの断面形状に対応する断面形状を有する一対の柱状部２２Ｂｄを所定の間隔をもって略平行に有している。各柱状部２２Ｂｄにおける互いに直交する複数の表面からなる外周面は、コンタクト端子１６ａｉの接点端子部をコンタクト端子１４ａｉの接点端子部に対して押圧する押圧面となる。
【００３８】
脚部２２Ｂにおける柱状部２２Ｂｄ相互間には、薄肉状部分が形成されている。薄肉状部分の厚さは、各プラグ嵌合部における一対の突起部１２ＰＷ相互間を通過するように設定されている。
【００３９】
その薄肉状部分における略中央部には、ロック／アンロック用係合片２２Ｃの基端が一体に弾性変位可能に形成されている。
【００４０】
ロック／アンロック用係合片２２Ｃの外周部と脚部２２Ｂおよび操作部２２Ａの内部との間には、ロック／アンロック用係合片２２Ｃがその基端を中心として相対的に回動可能となるように隙間２２Ｓが形成されている。隙間２２Ｓは、脚部２２Ｂおよび操作部２２Ａを貫通している。
【００４１】
ロック／アンロック用係合片２２Ｃの最上端には、操作部２２Ａの外面から離隔する方向に突出する釦部２２Ｃｂが形成されている。ロック／アンロック用係合片２２Ｃにおける釦部２２Ｃｂよりも所定距離、離隔した下方部分には、図７に示されるように、脚部２２Ｂの外面から離隔する方向に突出する爪部２２Ｎが形成されている。爪部２２Ｎは、脚部２２Ｂがプラグ嵌合部１２Ａ１〜１２Ａ８に嵌合されるとき、ロック／アンロック用係合片２２Ｃ自体の弾性力により、各プラグ嵌合部における一対の爪部１２Ｅのうちのいずれか一方に係止されロック状態とされる。従って、脚部２２Ｂは、プラグ嵌合部１２Ａ１〜１２Ａ８に対しいずれの向きであっても、即ち、釦部２２Ｃｂが図７に示される向き（左向き）、あるいは、それとは逆方向となる右向きとなるように嵌合された場合も、脚部２２Ｂは、プラグ嵌合部１２Ａ１〜１２Ａ８にロック状態とされる。
【００４２】
一方、ロック／アンロック用係合片２２Ｃを一対の爪部１２Ｅに対しアンロック状態とするにあたっては、釦部２２Ｃｂが、その弾性力に抗してその爪部２２Ｎが爪部１２Ｅに対し離隔する方向に押圧されることによりアンロック状態とされ、従って、脚部２２Ｂがプラグ嵌合部１２Ａ１〜１２Ａ８から引き抜かれることにより容易に取り外される。
【００４３】
上述のデータ設定器１０には、例えば、図１１に示されるような、制御ユニット部が接続されている。なお、図１１は、本発明に係るデータ設定器の一例が接続される制御ユニット部および駆動制御回路部を示す。
【００４４】
図１１において、データ設定器１０は、コンタクトユニット１８における一方の各コンタクト端子１４ａｉが所定の基準電源部３４に接続され、他方の各コンタクト端子１６ａｉが制御ユニット部３０の入力ポート部にそれぞれ接続されている。
【００４５】
また、制御ユニット部３０は、所定のプリント配線基板上に設けられている。制御ユニット部３０には、動作制御の開始命令をあらわす指令信号Ｓｔが図示が省略されるホストコンピュータから供給される。
【００４６】
また、制御ユニット部３０には、上述のデータ設定器１０からの５ビット構成のデータＤａが供給される。データＤａは、例えば、このプリント配線基板が実装される電子機器が配送される各仕向け地をあらわすものとされる。
【００４７】
データ設定器１０において、５ビット構成のデータＤａ（ｄ１、ｄ２、ｄ３、ｄ４、ｄ５）を設定可能とされる。データＤａは、複数個のプラグ２２の選択的な配置によって３２（＝２5）パターンの互いに異なるデータとなる。
【００４８】
プラグ２２の柱状部２２Ｂｄの押圧面によりコンタクト端子１６ａｉの接点端子部がコンタクト端子１４ａｉの接点端子部に対して押圧されるとき、即ち、各コンタクトユニット１８における接点部が閉状態とされるとき、「１」（ｈｉｇｈ  ｌｅｖｅｌ），一方、各コンタクトユニット１８における接点部が開状態とされるとき、「０」（ｌｏｗ  ｌｅｖｅｌ）のデータが形成されることとなる。
【００４９】
図１（Ａ）〜（Ｐ）は、代表的に、３２パターンのうちの１６パターンのデータを設定する場合におけるプラグ２２の配置を示す。
【００５０】
図１（Ａ）〜（Ｇ）、（Ｐ）においては、１個のプラグ２２を使用して各データＤａ（ｄ１、ｄ２、ｄ３、ｄ４、ｄ５）を設定した場合を示す。図１（Ｉ）〜（Ｏ）においては、２個のプラグ２２を使用して各データＤａ（ｄ１、ｄ２、ｄ３、ｄ４、ｄ５）を設定した場合を示す。図１（Ｈ）においては、プラグ２２が全く差し込まれていない状態を示す。
【００５１】
図１（Ａ）〜（Ｄ）においては、それぞれ、上述したように、プラグ２２が差し込まれたプラグ嵌合部１２Ａ１，１２Ａ２，１２Ａ３，１２Ａ４に対応するコンタクトユニット１８における接点部が閉状態とされるので「１」をとり、その他のプラグ嵌合部に対応するコンタクトユニット１８における接点部が開状態とされるので「０」をとる。
【００５２】
従って、図１（Ａ）〜（Ｄ）に示される例においては、それぞれ、データ設定器１０は、供給するデータＤａ（ｄ１、ｄ２、ｄ３、ｄ４、ｄ５）を（１、０、０、０、０）、（０、１、０、０、０）、（０、０、１、０、０）、（０、０、０、１、０）として設定する。
【００５３】
図１（Ｅ）〜（Ｇ）においては、それぞれ、プラグ２２が差し込まれたプラグ嵌合部１２Ａ８，１２Ａ７，１２Ａ６に対応する二つのコンタクトユニット１８における接点部が閉状態とされるので同時に「１」をとり、その他のプラグ嵌合部に対応するコンタクトユニット１８における接点部が開状態とされるので「０」をとる。
【００５４】
従って、図１（Ｅ）〜（Ｇ）に示される例においては、それぞれ、データ設定器１０は、供給するデータＤａ（ｄ１、ｄ２、ｄ３、ｄ４、ｄ５）を（１、１、０、０、０）、（０、１、１、０、０）、（０、０、１、１、０）として設定する。
【００５５】
図１（Ｉ）〜（Ｏ）においては、それぞれ、２個のプラグ２２が差し込まれたプラグ嵌合部１２Ａ１、１２Ａ５（図１（Ｉ）参照）、プラグ嵌合部１２Ａ２、１２Ａ５（図１（Ｊ）参照）、プラグ嵌合部１２Ａ３、１２Ａ５（図１（Ｋ）参照）、プラグ嵌合部１２Ａ４、１２Ａ５（図１（Ｌ）参照）、プラグ嵌合部１２Ａ８、１２Ａ５（図１（Ｍ）参照）、プラグ嵌合部１２Ａ７、１２Ａ５（図１（Ｎ）参照）、プラグ嵌合部１２Ａ６、１２Ａ５（図１（Ｏ）参照）に対応するコンタクトユニット１８における接点部が閉状態とされるので「１」をとり、その他のプラグ嵌合部に対応するコンタクトユニット１８における接点部が開状態とされるので「０」をとる。
【００５６】
従って、図１（Ｉ）〜（Ｏ）に示される例においては、それぞれ、データ設定器１０は、供給するデータＤａ（ｄ１、ｄ２、ｄ３、ｄ４、ｄ５）を（１、０、０、０、１）、（０、１、０、０、１）、（０、０、１、０、１）、（０、０、０、１、１）、（１、１、０、０、１）、（０、１、１、０、１）、（０、０、１、１、１）として設定する。
【００５７】
なお、プラグ２２が、それぞれ、プラグ嵌合部１２Ａ８、１２Ａ６、１２Ａ５に差し込まれ、３個のプラグ２２が使用される場合にあっては（不図示）、データ設定器１０は、供給するデータＤａ（ｄ１、ｄ２、ｄ３、ｄ４、ｄ５）を（１、１、１、１、１）として設定する。なお、使用されるプラグ２２の個数は、斯かる例に限られることなく、最大５個まで使用されてもよい。
【００５８】
従って、設定されたデータの内容は、データ設定器１０におけるプラグ２２の配置を目視により確認可能とされる。また、データ設定器１０において設定されたデータを変更する場合にあっては、プリント配線基板を作動状態とすることなく、プラグ２２の配置を機械的に変更することにより、容易に行なうことが可能とされる。これにより、変更されたデータの内容の再度の確認作業が不要とされる。
【００５９】
制御ユニット部３０は、内部にデータ記憶部３０Ｍを備えている。データ記憶部３０Ｍには、後述する制御ユニット部３０に接続される駆動制御回路部３２の各仕向け地に対応した動作制御を行うためのプログラムデータ、各仕向け地にそれぞれ対応する駆動制御回路部の種類をあらわすデータ、および、各仕向け地にそれぞれ対応する電源電圧、動作周波数等のルックアップテーブルデータ等が格納されている。
【００６０】
制御ユニット部３０は、指令信号Ｓｔが供給される場合、データ設定器からのデータＤａに基づいてその仕向け地に対応するプログラムデータおよび他の各データをデータ記憶部３０Ｍから読み出し、それらに基づいて制御信号群Ｃｄを形成し、それらを駆動制御回路部３２に供給するものとされる。これにより、駆動制御回路部３２は、制御信号群Ｃｄに基づいて各仕向け地に対応した駆動制御を行うこととなる。
【００６１】
図１２は、本発明に係るデータ設定器の一例が複数個接続される制御ユニット部および複数の駆動制御回路部を示す。
【００６２】
図１２に示される例においては、互いに異なる仕向け地をそれぞれあらわすデータを個別に設定する複数個のデータ設定器１０ｎ１、１０ｎ２・・１０ｎｍ（ｍは正の整数）と、各データ設定器に対応する駆動制御回路部３２ｎ１，３２ｎ２・・３２ｎｍ（ｍは正の整数）とを備えるものとされる。
【００６３】
なお、図１２においては、図１１に示される例において同一とされる構成要素について同一の符号を付して示し、その重複説明を省略する。
【００６４】
データ設定器１０ｎ１、１０ｎ２・・１０ｎｍは、それぞれ、上述のデータ設定器１０の構造と同一の構造を有している。
【００６５】
データ設定器１０ｎ１、１０ｎ２・・１０ｎｍは、それぞれ、コンタクトユニット１８における一方の各コンタクト端子１４ａｉが所定の基準電源部３４に接続され、他方の各コンタクト端子１６ａｉが制御ユニット部３０の入力ポート部にそれぞれ接続されている。
【００６６】
また、制御ユニット部３０は、所定のプリント基板上に設けられている。制御ユニット部３０には、動作制御の開始命令をあらわす指令信号Ｓｔが図示が省略されるホストコンピュータから供給される。制御ユニット部３０には、上述のデータ設定器１０ｎ１、１０ｎ２・・１０ｎｍからの５ビット構成のデータＤａ１、Ｄａ２，・・Ｄａｎ（ｎは正の整数）が供給される。データＤａｍは、例えば、このプリント基板が実装される電子機器が配送される各仕向け地をあらわすものとされる。
【００６７】
制御ユニット部３０は、指令信号Ｓｔが供給される場合、各データ設定器１０ｎｍからのデータＤａｎに基づいてその仕向け地に対応するプログラムデータおよび他の各データをデータ記憶部３０Ｍから読み出し、それらに基づいて各制御信号群Ｃｄ１、Ｃｄ２・・Ｃｄｎをそれぞれ形成し、それらを駆動制御回路部３２ｎ１、３２ｎ２・・３２ｎｍに供給するものとされる。これにより、駆動制御回路部３２ｎ１、３２ｎ２・・３２ｎｍは、制御信号群Ｃｄ１、Ｃｄ２・・Ｃｄｎに基づいて各仕向け地に対応した駆動制御を行うこととなる。
【００６８】
なお、上述の本発明に係るデータ設定器の一例においては、データ設定器が仕向け地をあらわすデータを設定するものとされるが、斯かる例に限られることなく、例えば、他の内容をあらわす５ビット構成のデータに適用されてもよいことは勿論である。また、上述の例においては、８個のプラグ嵌合部が形成されているが、斯かる例に限られることなく、例えば、所望の設定データのビット構成に応じてプラグ嵌合部の個数が増減されてもよい。
【図面の簡単な説明】
【００６９】
【図１】（Ａ）〜（Ｐ）は、それぞれ、設定されるデータに対応したプラグの配置を模式的に示す平面図である。
【図２】本発明に係るデータ設定器の一例における設定器本体部の外観を示す斜視図である。
【図３】図２に示される例における平面図である。
【図４】図２に示される例における正面図である。
【図５】本発明に係るデータ設定器の一例を構成するプラグの外観を示す斜視図である。
【図６】図５に示されるプラグの正面図である。
【図７】図５に示されるプラグの側面図である。
【図８】図５に示されるプラグの底面図である。
【図９】本発明に係るデータ設定器の一例の外観を示す正面図である。
【図１０】図９におけるＸ−Ｘ線に沿った断面図である。
【図１１】本発明に係るデータ設定器の一例が接続される制御ユニットおよび制御される駆動制御回路部を示すブロック図である。
【図１２】本発明に係るデータ設定器の一例が複数個接続される制御ユニットおよび制御される駆動制御回路部を示すブロック図である。
【符号の説明】
【００７０】
１０    データ設定器
１２    設定器本体部
１２Ａ１，１２Ａ２，１２Ａ３，１２Ａ４，１２Ａ４，１２Ａ５、１２Ａ６、１２Ａ７、１２Ａ８    プラグ嵌合部
１８    コンタクトユニット
２２    プラグ
３０    制御ユニット部
３２    駆動制御回路部
３４    基準電源部
【図１】
2008262831.tif 000003
【図２】
2008262831.tif 000004
【図３】
2008262831.tif 000005
【図４】
2008262831.tif 000006
【図５】
2008262831.tif 000007
【図６】
2008262831.tif 000008
【図７】
2008262831.tif 000009
【図８】
2008262831.tif 000010
【図９】
2008262831.tif 000011
【図１０】
2008262831.tif 000012
【図１１】
2008262831.tif 000013
【図１２】
2008262831.tif 000014